(57)【要約】【課題】冬季や梅雨時において室内温度と室内湿度が高く、一方で室外温度が低い時に壁や窓の表面に発生する結露を確実に防ぐとともに快適な空調を行なう。【解決手段】室内温度、室外温度、室内湿度を検出し、室外温度から室内側の壁もしくは窓の表面温度を算出し、この温度が室内温度、室内湿度から算出した室内空気の露点温度以下とならないよう除湿または加湿運転を行なう。【効果】冬季や梅雨時において壁や窓の表面に結露が発生するのを防ぐとともに、必要以上に除湿することで室内空気が乾燥し快適性が損なわれるのを防ぐ。【選択図】  図１
2004324942.tif 000002
【特許請求の範囲】
【請求項１】
室内温度、室外温度、室内湿度の各検出手段を有し、除湿運転が可能な空気調和機において、室外温度から室内側の壁もしくは窓の表面温度を算出し、この温度が室内温度と室内湿度より算出した室内空気の露点温度以下とならないように除湿運転することを特徴とする空気調和機。
【請求項２】
室内温度、室外温度、室内湿度の各検出手段とを有し、加湿及び除湿運転が可能な空気調和機において、室外温度から室内側の壁もしくは窓の表面温度を算出し、この温度が室内温度と室内湿度より算出した室内空気の露点温度以下とならないように加湿または除湿運転することを特徴とする空気調和機。
【発明の詳細な説明】
【０００１】
【発明の属する技術分野】
本発明は室内温度と室内湿度、室外温度を検出して建物への結露を防止する制御を行う空気調和機の運転制御に関する。
【０００２】
【従来の技術】
冬季や梅雨の時期において室内の温度と湿度が高く、一方で室外温度が低い時には建物の室内側の壁面や窓面が冷えてしまい表面に結露が発生してしまう。この結露を防止するため空気調和機の中には特開２００２−１３０７８３号公報に記載のように除湿運転の一種として結露抑制モードを搭載するものがある。この結露抑制モードでは室内の湿度を下げるために温度制御は行なわず除湿優先とし、一定時間運転を行なうものである。
【０００３】
【特許文献１】
特開２００２−１３０７８３号公報
【０００４】
【発明が解決しようとする課題】
しかしながら上記制御方式では室内温度や室外温度によらず一定の運転時間で終了するため、ある程度室内温度が高く、一方で室外温度は低く室内側の壁面や窓面の温度も低い時には、所定時間運転しても除湿が充分でないと壁面や窓面に結露が発生してしまう。また、逆にそれほど室内温度が高くなく、室外温度も高いような時には、室内空気の湿度がある程度高くても壁や窓に結露は発生しない。しかしながら所定時間除湿運転を行ない必要以上に除湿してしまうので、室内が乾燥し快適性が損なわれてしまう上、電気代もかかってしまう。
【０００５】
【課題を解決するための手段】
上記問題を解決するために本発明では室外温度から室内側の壁もしくは窓の表面温度を算出し、この温度が室内空気の露点温度以下とならないよう除湿または加湿運転するものである。
【０００６】
【発明の実施の形態】
以下、本発明の実施例を図１のフローチャートにより説明する。本仕様の空気調和機は除湿機能は有するが加湿機能の無いものを想定している。
【０００７】
本発明の空気調和機の室内機の構成を図２に示す。室内機１には室内温度を検出する室温センサー２と湿度を検出する湿度センサー３を有する。また本発明の室外機の構成を図３に示す。室外機４には室外温度を検出する外気温センサー５を有する。結露防止制御が開始されると、まずステップ１にて、室温センサー２より室内温度Ｔｉを、湿度センサー３より室内湿度Ｈｉを、そして外気温センサー５より室外温度Ｔｏをそれぞれ検出する。続いてステップ２においてステップ１にて検出した室内温度Ｔｉと室内湿度Ｈｉから室内空気の露点温度Ｔｄを算出する。その後ステップ３にて室外温度Ｔｏから室内側の壁面もしくは窓面の温度Ｔｗを算出する。なお、この温度Ｔｗは壁や窓の断熱性能により変わってくるので、空気調和機の操作スイッチ等で調整できるようにしても良い。すなわち例えば壁や窓の断熱性が低く本制御を行なっているにもかかわらず結露が発生してしまう時には「結露多」というボタンを押す。この場合には室内側の壁面もしくは窓面の温度Ｔｗを標準の算出値から数度下げた温度Ｔｗ（−１）に設定する。それでも結露が発生してしまう時には、さらに上記「結露多」というボタンを押す。この時にはＴｗ（−１）から数度下げた温度Ｔｗ（−２）を壁面もしくは窓面の温度とする。このように何段階か変更可能とする。また逆に壁や窓の断熱性が高く結露の発生が無い場合で、室内空気をあまり乾燥させたくない時には「結露少」というボタンを押す。この場合には室内側の壁面もしくは窓面の温度Ｔｗを算出値から数度上げた温度Ｔｗ（＋１）に設定する。さらに室内湿度を上げたい時には、上記「結露少」というボタンをさらに押す。この時にはＴｗ（＋１）から数度上げた温度Ｔｗ（＋２）を壁面もしくは窓面の温度とする。このように何段階か変更可能としても良い。このように変更可能とする事で、その家の断熱性に合わせた結露防止制御が可能となり、室内空気をあまり乾燥させず、結露の発生を防ぐことが出来る。次にステップ４にてステップ２で算出した室内空気の露点温度Ｔｄとステップ３で算出した壁面もしくは窓面の温度Ｔｗを比較する。ここで壁面もしくは窓面の温度Ｔｗが室内の露点温度Ｔｄと同じか低い時には結露が発生してしまうのでステップ５に移行し、除湿運転を行なう。その後はステップ１に戻り同様の処理を行ない壁面もしくは窓面の温度Ｔｗが室内空気の露点温度Ｔｄより高くなるまで除湿運転を行う。またステップ３において、壁面もしくは窓面の温度Ｔｗが室内空気の露点温度Ｔｄより高い時には結露が発生することはないので次のステップ６にて除湿運転を行なっている時にはその運転を停止してステップ１に戻る。以上の処理を連続して行うことにより、壁面や窓面の結露を確実に防ぐことが出きる。また必要以上に除湿することも無いので室内を乾燥させずに快適に空調することができる。
【０００８】
また、除湿だけでなく加湿も可能な空気調和機については図４のフローチャートの如くしても良い。ステップ１からステップ３までは除湿機能は有するが加湿機能の無いものと同様の処理を行なう。その後ステップ４において、壁面もしくは窓面の温度Ｔｗが室内空気の露点温度Ｔｄと同じか低い時には図１の時と同様にステップ５に移行し除湿運転しステップ１にもどる。一方壁面もしくは窓面の温度Ｔｗが室内空気の露点温度Ｔｄより高い時にはステップ６に移行する。ステップ６では室内の湿度Ｈｉをその時の室内温度で快適な設定湿度Ｈｓと比較する。なお、操作スイッチ等で使用者が湿度を設定できるようにしておき、その湿度を設定湿度Ｈｓとしても良い。この設定湿度Ｈｓはある程度の範囲があるがその範囲の上限値をＨｓｈ、下限値をＨｓｌとする。室内の湿度Ｈｉが設定湿度の下限値Ｈｓｌより低い時にはステップ７に移行し加湿運転を行ないステップ１に戻る。また、ステップ６において室内の湿度Ｈｉが設定湿度の上限値Ｈｓｈより高い時にはステップ５に移り除湿運転を行なった後ステップ１に戻る。なお、ステップ６において室内の湿度Ｈｉが設定湿度の下限値Ｈｓｌと上限値Ｈｓｈの間にあるときには加湿も除湿も行なわず、現在加湿または除湿運転中の時にはその運転を停止してステップ１に戻る。以上の処理を連続して行うことにより、壁面や窓面の結露を確実に防ぐことが出きる。また結露の発生しない状態において快適な湿度まで加湿することでより快適に空調することができる。
【０００９】
【発明の効果】
本発明により冬季や梅雨の時期における壁面や窓面への結露の発生を防ぐことができる。また、室外温度がそれほど低くない等結露の発生しにくい条件の時には、必要以上に除湿することが無いので乾燥せず快適な空調を提供することができる。さらに除湿だけでなく加湿機能も有する空気調和機においては結露が発生しない程度まで加湿することもでき、より快適な空調を提供することができる。
【図面の簡単な説明】
【図１】本発明の請求項１の空気調和機による結露防止制御のフローチャート。
【図２】本発明の空気調和機の室内機の構成。
【図３】本発明の空気調和機の室外機の構成。
【図４】本発明の請求項２の空気調和機による結露防止制御のフローチャート。
【符号の説明】
１…室内機、２…室温センサー、３湿度センサー、４…室外機、５…外気温センサー、Ｔｉ…室内温度、Ｈｉ…室内湿度、Ｔｏ…室外温度、Ｔｄ…室内露点温度、Ｔｗ…室内側の壁面もしくは窓面の温度、Ｈｓｈ…設定湿度の上限値、Ｈｓｌ…設定湿度の下限値、Ｓ１〜Ｓ８…ステップ１〜ステップ８。
【図１】
2004324942.tif 000003
【図２】
2004324942.tif 000004
【図３】
2004324942.tif 000005
【図４】
2004324942.tif 000006